(57)【特許請求の範囲】
【請求項１】
上下方向に伸びる正面外壁、前記正面外壁に平行な背面外壁、および前記正面外壁と前記背面外壁とにより内部空間を形成する第１外側壁と第２外側壁を有する筐体と、
前記正面外壁の下端部に設けられ、穀粒が投入される供給ホッパーと、
前記第１外側壁にスペースを隔てて対向する第１内側壁、前記第２外側壁にスペースを隔てて対向する第２内側壁、および前記背面外壁にスペースを隔てて対向する背面内壁を有し、前記筐体の内部に上下方向に伸びて設けられ、前記第１外側壁、前記第２外側壁、および前記背面外壁との間で貯留室を形成する揚穀ダクトと、
前記揚穀ダクトの内部に設けられ、前記供給ホッパーに投入された穀粒を前記揚穀ダクトの下端部から上端部に上昇させるコンベアと、
前記揚穀ダクトの上端部に前記背面外壁から突出して設けられ、前記コンベアにより上昇した穀粒を外部に送出する送出ダクトと、
前記送出ダクトの吐出端部に設けられ、前記送出ダクトの吐出口を開閉する送出シャッターと、を有し、
前記送出ダクト内に貯留した穀粒を前記貯留室に戻す返送開口部を、前記送出ダクトと前記揚穀ダクトの境界部に設けた、揚穀装置。
【請求項２】
請求項１記載の揚穀装置において、前記背面内壁の上端部に、前記送出ダクトに向けて下向きに傾斜した排出板を設け、前記排出板の先端部の下側に前記返送開口部を設けた、揚穀装置。
【請求項３】
請求項１または２記載の揚穀装置において、前記揚穀ダクトの下端部に穀粒を戻す連通開口部が設けられた仕切り板を前記貯留室の底部に設け、前記連通開口部を開閉する戻しシャッターを前記仕切り板に設け、前記第１外側壁と前記第１内側壁との間に前記仕切り板に向けて下向きに傾斜した第１のガイド板を設け、前記第２外側壁と前記第２内側壁との間に前記仕切り板に向けて下向きに傾斜した第２のガイド板を設けた、揚穀装置。
【請求項４】
請求項１〜３のいずれか１項に記載の揚穀装置において、前記コンベアは、前記揚穀ダクトの下端部に設けられた下側回転体と、前記揚穀ダクトの上端部に設けられた上側回転体とに掛け渡される無端の索条部材、および前記索条部材の外側に設けられた複数のバケットを有し、前記索条部材の上昇側は前記正面外壁に対向し、前記索条部材の下降側は前記背面内壁に対向する、揚穀装置。
【発明の詳細な説明】
【技術分野】
【０００１】
本発明は、米穀等の穀粒をフレキシブルコンテナバッグ等の袋部材に袋詰めするための揚穀装置に関する。
【背景技術】
【０００２】
穀粒をフレキシブルコンテナバッグ等の袋部材に袋詰めするには、上端部が開口された袋部材に穀粒を上端部から落下させて穀粒を供給する。穀粒を袋詰めするために、揚穀装置が使用される。揚穀装置は、外部から穀粒が投入される供給ホッパーと、供給ホッパー内に投入された穀粒を袋部材の開口部よりも上方に搬送するためのコンベアとを有し、コンベアは揚穀筒体の内部に組み込まれる。コンベアにより上昇搬送された穀粒を袋部材に供給して袋詰めするための排出管が揚穀筒体の上端部に設けられている。
【０００３】
穀粒が満杯となって袋詰めが完了した袋部材は、排出管の下方から取り除かれて、空の袋部材が排出管の下方に配置される。袋部材の交換時にも、コンベアを停止させることなく、コンベア駆動状態に保持すると、空の袋部材が排出管の下方に配置された後に、直ちに袋詰め作業を開始することができる。このため、袋部材の交換時には、排出管の先端部からの穀粒の吐出を停止した状態とし、コンベアから吐出された穀粒を貯留ホッパーに戻し、貯留タンクから供給ホッパーに穀粒を戻すようにしている。
【０００４】
特許文献１，２は、コンベアが組み込まれた揚穀筒体と、貯留タンクつまり貯留ホッパーとを有する揚穀装置が記載されている。
【先行技術文献】
【特許文献】
【０００５】
【特許文献１】特開２０１４−１０５０８０号公報
【特許文献２】特開２０１４−１１４０２５号公報
【発明の概要】
【発明が解決しようとする課題】
【０００６】
特許文献１，２に記載された揚穀装置は、揚穀筒体と貯留ホッパーとが分離されており、揚穀筒体は外部に露出されている。貯留ホッパーはその下端部から供給ホッパーに穀粒を自重で戻すために、揚穀筒体の上下方向中間部に位置させて揚穀筒体の側面に固定されている。このように、揚穀筒体の上下方向中間部に貯留ホッパーを設けると、貯留ホッパー内に貯留された穀粒の重量が揚穀筒体の中間部に加わるので、貯留ホッパーを含めた揚穀筒体の重心位置が高くなり、揚穀筒体の安定性に欠けることになる。しかも、コンベアは駆動時に騒音を発生させる騒音源となっており、コンベアが組み込まれた揚穀筒体が外部に露出されていると、コンベアからの騒音が外部に直接伝搬される。
【０００７】
さらに、揚穀筒体の側面に貯留ホッパーを取り付けた揚穀装置においては、排出管を主送出流路と副送出流路とを有する構造とする必要がある。主送出流路はコンベアにより上昇された穀粒を袋部材に供給するために設けられている。一方、副送出流路は主送出流路の先端を閉じたときに、コンベアにより揚穀筒体の上端部から排出される穀粒を、貯留ホッパーを介して供給ホッパーに戻すために設けられている。副送出流路は、揚穀筒体の側面に隣り合って揚穀筒体に対して横方向にずれて配置された貯留ホッパーに穀粒を戻すために必須となっている。
【０００８】
このように、排出管を主送出流路と副送出流路とにより形成すると、主送出流路から袋部材に穀粒を供給する状態と、副送出流路から穀粒を貯留ホッパーに戻す状態とに切り換えるために、流路切換シャッターを排出管に設けなければならず、揚穀装置の構造が複雑となる。
【０００９】
本発明の目的は、シンプルな構造の揚穀装置を提供することにある。
【課題を解決するための手段】
【００１０】
本発明の揚穀装置は、上下方向に伸びる正面外壁、前記正面外壁に平行な背面外壁、および前記正面外壁と前記背面外壁とにより内部空間を形成する第１外側壁と第２外側壁を有する筐体と、前記正面外壁の下端部に設けられ、穀粒が投入される供給ホッパーと、前記第１外側壁にスペースを隔てて対向する第１内側壁、前記第２外側壁にスペースを隔てて対向する第２内側壁、および前記背面外壁にスペースを隔てて対向する背面内壁を有し、前記筐体の内部に上下方向に伸びて設けられ、前記第１外側壁、前記第２外側壁、および前記背面外壁との間で貯留室を形成する揚穀ダクトと、前記揚穀ダクトの内部に設けられ、前記供給ホッパーに投入された穀粒を前記揚穀ダクトの下端部から上端部に上昇させるコンベアと、前記揚穀ダクトの上端部に前記背面外壁から突出して設けられ、前記コンベアにより上昇した穀粒を外部に送出する送出ダクトと、前記送出ダクトの吐出端部に設けられ、前記送出ダクトの吐出口を開閉する送出シャッターと、を有し、前記送出ダクト内に貯留した穀粒を前記貯留室に戻す返送開口部を、前記送出ダクトと前記揚穀ダクトの境界部に設けた。
【発明の効果】
【００１１】
筐体の内部には揚穀ダクトが配置され、筐体の内面と揚穀ダクトの外面との間に貯留室が形成される。このように、揚穀ダクトと貯留室が一体化されるので、揚穀装置の製造コストを低減することができる。供給ホッパーに投入された穀粒は、揚穀ダクトの下端部の正面側に供給され、揚穀ダクトに設けられたコンベアにより揚穀ダクトの下端部から上端部に搬送される。揚穀ダクトの上端部に搬送された穀粒は、送出ダクトにより袋部材に供給される。送出シャッターが閉じて送出ダクトの内部に貯留された穀粒は、送出ダクトと揚穀ダクトとの境界部に設けられた返送開口部から自動的に貯留室内に戻される。これにより、穀粒が揚穀ダクトから送出ダクトに供給される状態と、送出ダクトから貯留室に戻される状態とに切り換えるための流路切換部材を設けることが不要となり、揚穀装置をシンプルな構造とすることができ、揚穀装置の製造コストを低減することができる。
【図面の簡単な説明】
【００１２】
【図１】袋詰め装置に隣接された状態の揚穀装置を示す側面図である。
【図２】揚穀装置の正面図である。
【図３】揚穀装置の背面図である。
【図４】揚穀装置の縦断面図である。
【図５】図４におけるＡ−Ａ線拡大断面図である。
【図６】揚穀装置の上端部を示す一部切欠き斜視図である。
【発明を実施するための形態】
【００１３】
以下、本発明の実施の形態を図面に基づいて詳細に説明する。図１〜図５に示されるように、揚穀装置１０は基台１１を有し、基台１１の下面にはキャスター１２と締結ねじ１３とが設けられている。基台１１の上面には、ハウジングつまり筐体１４が取り付けられている。筐体１４は、上下方向に伸びる正面外壁１５と、この正面外壁１５に平行な背面外壁１６とを有する。正面外壁１５と背面外壁１６の一方の側辺との間には第１外側壁１７が設けられ、正面外壁１５と背面外壁１６の他方の側辺との間には第２外側壁１８が設けられている。正面外壁１５、背面外壁１６，第１外側壁１７および第２外側壁１８は、それぞれパネル材つまり壁体により形成されている。筐体１４は横断面形状が四辺形となっており、筐体１４には内部空間が形成される。
【００１４】
筐体１４の内部には上下方向に伸びて揚穀筒体つまり揚穀ダクト２０が設けられる。図５に示されるように、揚穀ダクト２０は、正面外壁１５の内面に配置される正面内壁２１と、背面外壁１６にスペースを隔てて対向する背面内壁２２とを有し、さらに、第１外側壁１７にスペースを隔てて対向する第１内側壁２３と、第２外側壁１８にスペースを隔てて対向する第２内側壁２４とを有している。このように、揚穀ダクト２０は横断面が四辺形となっている。
【００１５】
揚穀ダクト２０を筐体１４の内部に組み込むために、筐体１４の正面外壁１５には、揚穀ダクト２０の正面内壁２１に対応してスリットが形成されており、スリットは帯状板材１５ａにより覆われている。このように、正面外壁１５は、図２に示されるように、図２において左右方向中央部の帯状板材１５ａとその両側の板材とにより形成される。なお、揚穀ダクト２０は筐体１４の内部に組み込まれるので、筐体１４の正面外壁１５を正面内壁２１とすることも可能である。その場合には、第１内側壁２３と第２内側壁２４は正面外壁１５に突き当てられた形態となる。
【００１６】
揚穀ダクト２０の背面内壁２２、第１内側壁２３および第２内側壁２４と、筐体１４の背面外壁１６，第１外側壁１７および第２外側壁１８との間で、筐体１４の内部空間には、貯留室２５が形成される。貯留室２５は、第１外側壁１７と第１内側壁２３とにより区画される第１貯留部２５ａと、第２外側壁１８と第２内側壁２４とにより区画される第２貯留部２５ｂと、背面外壁１６と背面内壁２２とにより区画される第３貯留部２５ｃとを有している。第３貯留部２５ｃを介して第１貯留部２５ａと第２貯留部２５ｂは連通しており、これらの貯留部２５ａ〜２５ｃを有する貯留室２５は、揚穀ダクト２０の３面を外側から囲むように、全体的に連なっている。このように、揚穀装置１０は、貯留室２５を形成する筐体１４が貯留タンクを構成しており、その貯留タンクの内部に揚穀ダクト２０が組み込まれた形態となっている。
【００１７】
正面外壁１５の下端部には、穀粒が外部から投入される供給ホッパー２６が設けられる。供給ホッパー２６に投入された穀粒を揚穀ダクト２０の下端部内に供給するために、図２および図４に示されるように、正面外壁１５と揚穀ダクト２０には供給ホッパー２６に対応させて導入口２７が設けられている。
【００１８】
導入口２７から揚穀ダクト２０の下端部内に供給された穀粒を揚穀ダクト２０の上端部に上昇させるために、揚穀ダクト２０の内部にはコンベア３１が設けられている。コンベア３１は、図４に示されるように、揚穀ダクト２０の下端部に回転自在に設けられた下側回転体３２と、揚穀ダクト２０の上端部に回転自在に設けられた上側回転体３３とを有している。下側回転体３２と上側回転体３３はそれぞれ回転ドラムであり、下側回転体３２と上側回転体３３には、エンドレスつまり無端の索条部材としてのベルト３４が掛け渡されている。ベルト３４の外側には、複数のバケット３５が一定の間隔を隔てて設けられている。
【００１９】
このように、コンベア３１は複数のバケット３５を有するバケットコンベアである。コンベア３１には、Ｖベルトを索条部材とする形態があり、その場合には下側回転体３２と上側回転体３３としては、Ｖベルトが掛け渡されるプーリーが使用され、Ｖベルトの外側には複数のバケット３５が設けられる。さらに、コンベア３１としてチェーンを索条部材とする形態を使用することもできる。その場合には、下側回転体３２と上側回転体３３としては、チェーンが掛け渡されるスプロケットが使用され、チェーンの外側には複数のバケット３５が設けられる。
【００２０】
基台１１には、コンベア３１を駆動するための電動モータ３６が設けられている。電動モータ３６の主軸は、図示しないチェーン等の動力伝達部材により下側回転体３２のシャフトに連結される。電動モータ３６により下側回転体３２を駆動側として、図４において矢印で示されるように、ベルト３４は駆動される。図５に示されるように、ベルト３４は正面外壁１５つまり正面内壁２１に対向する側が上昇側となっており、背面外壁１６つまり背面内壁２２に対向する側が下降側となっている。下降側は背面内壁２２に直接対向し、背面外壁１６には背面内壁２２を介して対向している。したがって、供給ホッパー２６に投入された穀粒は、上昇側のバケット３５に供給されて揚穀ダクト２０の上端部に向けて搬送される。
【００２１】
コンベア３１により揚穀ダクト２０の上端部にまで上昇して搬送された穀粒を揚穀ダクト２０の外部に排出するために、背面内壁２２の上端部には排出口３７が設けられている。排出口３７から排出された穀粒を袋部材の内部に投入するために、送出ダクト３８が揚穀ダクト２０の上端部に設けられており、送出ダクト３８は、背面外壁１６の後方に突出している。この明細書においては、供給ホッパー２６が設けられた側を揚穀装置１０の正面と定義し、送出ダクト３８が設けられた側を背面と定義する。したがって、筐体１４を構成する４つの壁体のうち、供給ホッパー２６が設けられた壁体を正面外壁１５とし、送出ダクト３８が突出する壁体を背面外壁１６とする。
【００２２】
図１に示されるように、揚穀装置１０の背面側には袋詰め装置４０が配置される。袋詰め装置４０は、台座部４１とこれに設けられたフレーム４２とを有し、穀粒が供給されるフレキシブルコンテナバッグからなる袋部材Ｂがフレーム４２により保持される。袋部材Ｂは上端部が開口されて広げられた状態でフレーム４２に保持される。台座部４１に計量器が設けられた形態の袋詰め装置４０においては、袋部材Ｂ内に供給された穀粒の重量を計量することができる。
【００２３】
揚穀装置１０を作業箇所に移動するときには、締結ねじ１３の下端部をキャスター１２の下端部よりも上昇させることにより、揚穀装置１０をキャスター１２により走行させることができる。所定の作業箇所に揚穀装置１０を固定するときには、締結ねじ１３の下端部をキャスター１２の下端部よりも下方に突出させて、締結ねじ１３により揚穀装置１０が支持される。
【００２４】
図１および図３に示されるように、送出ダクト３８は、揚穀ダクト２０側の基部３８ａと、傾斜部３８ｂと、吐出部３８ｃとを有する。送出ダクト３８のうち、基部３８ａと傾斜部３８ｂにおける底壁を形成する送出板３９は、側壁の下側面よりも上方に位置している。送出ダクト３８の吐出端部には、送出ダクト３８の吐出口を開閉する送出シャッター４３が設けられており、送出シャッター４３は駆動部材としてのソレノイド４４により開閉駆動される。
【００２５】
基部３８ａと傾斜部３８ｂの側壁は、送出板３９よりも下方に突出しており、送出ダクト３８の強度が高められている。排出口３７から排出された穀粒を送出板３９に吐出させるために、背面内壁２２の上端部には、排出板４６が設けられている。この排出板４６は、揚穀ダクト２０が筐体１４の内部に設けられているので、貯留室２５の上方を横切るように設けられ、送出ダクト３８に向けて下向きに傾斜している。排出板４６の傾斜角度は、送出ダクト３８の底壁を形成する送出板３９の傾斜角度よりも小さい角度に設定されており、排出板４６にはバケット３５により搬送された穀粒が供給される。
【００２６】
バケット３５により排出板４６の上に供給された穀粒は、排出板４６から送出ダクト３８内の送出板３９に落下して、送出ダクト３８の先端部つまり吐出端部に向けて送出板３９により案内される。送出シャッター４３により吐出端部を開放させると、送出ダクト３８内に揚穀ダクト２０から排出された穀粒は、袋部材Ｂの内部に供給される。コンベア３１を駆動させた状態のもとで、送出シャッター４３により吐出端部が閉じられると、穀粒は送出ダクト３８内に貯留された状態となる。この状態のもとで、コンベア３１の駆動が継続すると、送出ダクト３８内に貯留される穀粒の貯留領域は、送出板３９の基端部にまで上昇する。
【００２７】
排出板４６の先端部と送出板３９の基端部との間は、上下に段差が設けられており、この段差により返送開口部４７が形成され、返送開口部４７は排出板４６の下側の貯留室２５に開口している。返送開口部４７は、排出板４６と送出板３９により形成される送出ダクト３８と揚穀ダクト２０との境界部に位置しており、送出ダクト３８内の穀粒の貯留領域が、送出板３９の基端部にまで達すると、穀粒は返送開口部４７から貯留室２５に戻される。返送開口部４７から貯留室２５に向けて穀粒を案内するために、送出板３９の基端部にはカバー板４８が設けられている。
【００２８】
返送開口部４７からカバー板４８に案内されて貯留室２５内に戻される穀粒は、第１貯留部２５ａ、第２貯留部２５ｂ、第３貯留部２５ｃのいずれかに向けて分散するようにして貯留室２５に落下する。
【００２９】
揚穀ダクト２０の背面内壁２２と背面外壁１６の間には、図５に示されるように、仕切り板５１が設けられており、仕切り板５１には複数の連通開口部５２が形成されている。仕切り板５１は筐体１４内の背面側に設けられており、貯留室２５の底部を構成する。仕切り板５１には、連通開口部５２を開閉する戻しシャッター５３が設けられており、戻しシャッター５３は駆動部材としてのソレノイド５４により開閉駆動される。背面内壁２２の下端部には、図４に示されるように、連通孔５５が設けられており、連通開口部５２が戻しシャッター５３により開放されると、貯留室２５内に貯留された穀粒は、揚穀ダクト２０の下端部に背面側から戻される。
【００３０】
このように、供給ホッパー２６に投入された穀粒は、揚穀ダクト２０の正面側から揚穀ダクト２０の下端部に供給されるのに対し、貯留室２５内の穀粒は、揚穀ダクト２０の背面側から揚穀ダクト２０の下端部に戻される。したがって、供給ホッパー２６に投入された穀粒は筐体１４の正面側から揚穀ダクト２０の下端部に供給され、貯留室２５内に返送されて戻された穀粒は、筐体１４の背面側から揚穀ダクト２０の下端部に供給される。このように、揚穀ダクト２０により上方に搬送される穀粒は、揚穀ダクト２０の下端部に集積されるので、揚穀装置１０を作動させたときの重心位置は低くなる。
【００３１】
しかも、振動等の騒音発生源となるコンベア３１は、貯留タンクを構成する筐体１４の内部に組み込まれているので、コンベア３１から発生する騒音は貯留室２５により遮音されることになり、揚穀装置１０を静粛作動させることができる。
【００３２】
図５に示されるように、第１外側壁１７と第１内側壁２３との間には、貯留室２５内に戻された穀粒を仕切り板５１に向けて案内する第１のガイド板５６が設けられている。第１のガイド板５６は、正面外壁１５から背面外壁１６に向けて下向きに傾斜した部分５６ａと、第１外側壁１７から仕切り板５１に向けて下向きに傾斜した部分５６ｂとを有している。第２外側壁１８と第２内側壁２４との間には、貯留室２５内に戻された穀粒を仕切り板５１に向けて案内する第２のガイド板５７が設けられている。第２のガイド板５７は、正面外壁１５から背面外壁１６に向けて下向きに傾斜した部分５７ａと、第２外側壁１８から仕切り板５１に向けて下向きに傾斜した部分５７ｂとを有している。これらのガイド板５６，５７は、貯留室２５を形成するための底壁を構成している。
【００３３】
図１および図２に示されるように、第１外側壁１７の上端部には傾斜面６１が設けられ、第２外側壁１８の上端部には傾斜面６２が設けられている。図６に示されるように、傾斜面６２には窓枠６３が取り付けられる。窓枠６３にはガラス板等からなる透明性板材６４が設けられており、筐体１４の上側から貯留室２５の内部を目視観察することができる。同様に、傾斜面６１にも窓枠６３が設けられており、外部から貯留室２５の内部を目視観察することができる。
【００３４】
図２に示されるように、筐体１４の正面外壁１５には、揚穀ダクト２０内を外部から目視観察するための窓部６５が設けられており、窓部６５はガラス板等からなる透明性板材により形成されている。さらに、コンベア３１をオンオフするための操作スイッチ６６が正面外壁１５に設けられている。
【００３５】
上述した揚穀装置１０を用いて、袋詰め装置４０に装着された袋部材Ｂ内に穀粒を供給する際には、揚穀装置１０は袋詰め装置４０の位置に搬送されて袋詰め装置４０に隣接配置される。袋部材Ｂに穀粒を供給するには、電動モータ３６によりコンベア３１を駆動させる。この状態のもとで、供給ホッパー２６内に穀粒を投入すると、投入された穀粒は導入口２７から揚穀ダクト２０の下端部内に正面側から供給される。導入口２７はコンベア３１の上昇側のバケット３５に対向しており、穀粒はバケット３５内に充填されて揚穀ダクト２０の上部に搬送される。揚穀ダクト２０の上端部においては、バケット３５は下向きに反転され、バケット３５内の穀粒は、排出板４６の上に排出される。排出板４６の上に排出された穀粒は、送出板３９に自重で落下し、送出ダクト３８内に排出される。
【００３６】
排出された穀粒は、自重により送出板３９に沿って送出ダクト３８の先端の吐出端部にまで下方に流下する。このように、送出ダクト３８内に排出された穀粒は、送出シャッター４３を開放させると、袋部材Ｂの内部に供給される。
【００３７】
袋部材Ｂ内に所定量の穀粒が供給されると、送出シャッター４３は閉じられ、その袋部材Ｂは袋詰め装置４０から取り除かれて、空の袋部材が袋詰め装置４０に装着される。この袋交換作業時においても、コンベア３１を駆動し続けると、空の袋部材が装着されると、直ちに穀粒の供給操作を行うことができる。このときには、送出シャッター４３が閉じられているので、コンベア３１により搬送された穀粒は、送出ダクト３８内に貯留される。貯留量が多くなると、送出ダクト３８内の穀粒の貯留領域は、返送開口部４７に到達し、返送開口部４７を介して貯留室２５内に分散して落下する。
【００３８】
返送開口部４７は、排出板４６の下端部つまり先端部と、送出板３９の基端部つまり上端部との間に、段差を設けることにより形成されている。したがって、コンベア３１により排出板４６に排出された穀粒は、送出ダクト３８内の送出板３９の上に自動的に落下して供給される。一方、送出シャッター４３が閉じられて、送出板３９に供給されて送出板３９の上に残留する穀粒の量が増加し、送出板３９の上に残留した穀粒の貯留領域が返送開口部４７に到達すると、自重により穀粒が貯留室２５内に戻される。排出板４６は貯留室２５の上方を横切る方向に設けられており、排出板４６の先端部の下側に返送開口部４７が設けられているので、流路を切り換えるための切換シャッターを設けることなく、自動的に貯留室２５に穀粒を戻すことができ、揚穀装置１０をシンプルな構造とすることができる。
【００３９】
貯留室２５内に落下した穀粒は、貯留室２５の底壁を構成する第１のガイド板５６と第２のガイド板５７により、仕切り板５１の部分、つまり揚穀ダクト２０の背面側に集まるように自重で移動する。貯留室２５の底部に集積された穀粒は、戻しシャッター５３を開放させると、連通孔５５から揚穀ダクト２０の背面側に案内される。連通孔５５を介して揚穀ダクト２０の底部に供給された穀粒は、バケット３５により掬い上げられて上方に搬送される。
【００４０】
このように、揚穀ダクト２０の下端部つまり底部には、供給ホッパー２６に投入される穀粒は揚穀ダクト２０の正面側から供給され、貯留タンクとしての貯留室２５から戻される穀粒は揚穀ダクト２０の背面側から供給される。
【００４１】
図１には、袋部材Ｂとしてフレキシブルコンテナバッグを示す。フレキシブルコンテナバッグは、６００〜１５００Ｋｇの穀粒を収容することができ、袋詰め装置４０により収容された穀粒の重量が計量される。袋部材Ｂとしては、フレキシブルコンテナよりも小型であって、３０Ｋｇ程度の穀粒を収容する個体袋に穀粒を充填する場合等にも、この揚穀装置１０を適用することができる。
【００４２】
本発明は前記実施の形態に限定されるものではなく、その要旨を逸脱しない範囲で種々変更可能である。上述した実施の形態においては、米穀を袋部材Ｂとしてフレキシブルコンテナバッグに供給する場合について説明したが、この揚穀装置１０は、穀物のみならず、粉粒状物を梱包して輸送するための袋部材に供給することもできる。
【符号の説明】
【００４３】
１０    揚穀装置
１１    基台
１４    筐体
１５    正面外壁
１６    背面外壁
１７    第１外側壁
１８    第２外側壁
２０    揚穀ダクト
２１    正面内壁
２２    背面内壁
２３    第１内側壁
２４    第２内側壁
２５    貯留室
２６    供給ホッパー
２７    導入口
３１    コンベア
３５    バケット
３７    排出口
３８    送出ダクト
３９    送出板
４３    送出シャッター
４６    排出板
４７    返送開口部
５１    仕切り板
５２    連通開口部
５３    戻しシャッター
５６    第１のガイド板
５７    第２のガイド板
【図１】
0006613122.tif 000002
【図２】
0006613122.tif 000003
【図３】
0006613122.tif 000004
【図４】
0006613122.tif 000005
【図５】
0006613122.tif 000006
【図６】
0006613122.tif 000007